(57)【要約】      （修正有）【課題】講演において受講者の学習効果を向上させることができる講演システム及び講演方法を提供する。【解決手段】講演の提供者２が使用するサーバーコンピューター３と講演の受講者４が使用するクライアントコンピューター５とを電気通信回線網６で接続し、講演の提供者２が提供した資料データをクライアントコンピューター５で受講者４が閲覧する講演システム１及び同講演システム１を用いた講演方法において、サーバーコンピューター３は、クライアントコンピューター５で閲覧できる資料データの範囲（たとえば、任意の範囲と特定の範囲）を制御する。【選択図】図１
2014229058.tif 000002
【特許請求の範囲】
【請求項１】
講演の提供者が使用するサーバーコンピューターと講演の受講者が使用するクライアントコンピューターとを電気通信回線網で接続し、講演の提供者が提供した資料データをクライアントコンピューターで受講者が閲覧する講演システムにおいて、
サーバーコンピューターは、クライアントコンピューターで閲覧できる資料データの範囲を制御することを特徴とする講演システム。
【請求項２】
前記サーバーコンピューターは、
前記クライアントコンピューターで前記資料データの任意の範囲を閲覧可能とする任意範囲閲覧モードと、
前記クライアントコンピューターで前記資料データの特定の範囲のみを閲覧可能とする特定範囲閲覧モードと
に制御することを特徴とする請求項１に記載の講演システム。
【請求項３】
電気通信回線網で接続された講演の提供者が使用するサーバーコンピューターと講演の受講者が使用するクライアントコンピューターとを用いて、講演の提供者が提供した資料データをクライアントコンピューターで受講者が閲覧する講演方法において、
サーバーコンピューターによってクライアントコンピューターで閲覧できる資料データの範囲を制御することを特徴とする講演方法。
【発明の詳細な説明】
【技術分野】
【０００１】
本発明は、講演の提供者が使用するサーバーコンピューターと講演の受講者が使用するクライアントコンピューターとを電気通信回線網で接続し、講演の提供者が提供した資料データをクライアントコンピューターで受講者が閲覧する講演システム及び講演方法に関するものである。
【背景技術】
【０００２】
近年では、ＬＡＮに代表される電気通信回線網を利用して、講演で使用する資料を受講者が携帯端末装置等のコンピューターを用いて閲覧できるようにした講演が実施されている。
【０００３】
この講演においては、電気通信回線網で接続された講演の提供者が使用するサーバーコンピューターと講演の受講者が使用するクライアントコンピューターとを利用して、講演の提供者が提供した資料データをクライアントコンピューターで受講者が閲覧しながら受講できるようになっている（たとえば、特許文献１参照。）。
【先行技術文献】
【特許文献】
【０００４】
【特許文献１】特開２００７−６００３２号公報
【発明の概要】
【発明が解決しようとする課題】
【０００５】
ところが、上記従来のサーバーコンピューターとクライアントコンピューターとを利用した講演においては、会場内に設置されたモニターに資料データの一部の範囲だけが講演の内容に応じて表示されるとともに、モニターと同一範囲の資料データだけがクライアントコンピューターを用いて受講者が閲覧できるようになっていた。
【０００６】
そのため、上記従来の講演においては、受講者が資料データの他の範囲（モニターに表示された範囲とは異なる範囲）を自由に閲覧することができず、学習効果の低減を招くおそれがあった。
【課題を解決するための手段】
【０００７】
そこで、請求項１に係る本発明では、講演の提供者が使用するサーバーコンピューターと講演の受講者が使用するクライアントコンピューターとを電気通信回線網で接続し、講演の提供者が提供した資料データをクライアントコンピューターで受講者が閲覧する講演システムにおいて、サーバーコンピューターは、クライアントコンピューターで閲覧できる資料データの範囲を制御することにした。
【０００８】
また、請求項２に係る本発明では、前記請求項１に係る本発明において、前記サーバーコンピューターは、前記クライアントコンピューターで前記資料データの任意の範囲を閲覧可能とする任意範囲閲覧モードと、前記クライアントコンピューターで前記資料データの特定の範囲のみを閲覧可能とする特定範囲閲覧モードとに制御することにした。
【０００９】
また、請求項３に係る本発明では、電気通信回線網で接続された講演の提供者が使用するサーバーコンピューターと講演の受講者が使用するクライアントコンピューターとを用いて、講演の提供者が提供した資料データをクライアントコンピューターで受講者が閲覧する講演方法において、サーバーコンピューターによってクライアントコンピューターで閲覧できる資料データの範囲を制御することにした。
【発明の効果】
【００１０】
そして、本発明では、以下に記載する効果を奏する。
【００１１】
すなわち、本発明では、サーバーコンピューターは、クライアントコンピューターで閲覧できる資料データの範囲を制御することで、講演の内容にあわせて受講者に資料データの特定の範囲だけを集中的に閲覧させたり、資料データの任意の範囲を自由に閲覧させるといったメリハリのある講演を行うことができ、受講者の学習効果を増大させることができる。
【図面の簡単な説明】
【００１２】
【図１】講演システムを模式的に示す説明図。
【図２】資料データを模式的に示す説明図。
【図３】講演方法を模式的に示す説明図。
【発明を実施するための形態】
【００１３】
以下に、本発明に係る講演システム及び講演方法の具体的な構成について図面を参照しながら説明する。
【００１４】
図１に示すように、講演システム１は、講演の提供者２が使用する１台のサーバーコンピューター３と受講者４が使用する複数台のクライアントコンピューター５とをＬＡＮやインターネットなどの電気通信回線網６で接続して、講演者７の講演の内容に即した資料データ８（図２参照。）を各クライアントコンピューター５で受講者４が閲覧できるように構成している。なお、ここでは、講演者７が実際に講演を行う会場と、その講演の内容を視聴できる他の会場とで同時に講演を行う場合について説明するが、本発明はこれに限られず、講演者７が実際に講演を行う会場のみの場合や、講演者７が既に行った講演を録画したものを他の会場で行う場合などにも適用することができる。
【００１５】
サーバーコンピューター３には、講演者７が使用するコンピューター９や講演者７の音声を録音するマイク10や講演者７の映像を撮影するカメラ11や各会場で受講者４に向けて資料データ８などを表示するモニター12を接続している。なお、講演者７が実際に講演を行う会場ではモニター12に資料データ８だけを表示し、他の会場ではモニター12に資料データ８とともに講演者７の映像なども併せて表示している。
【００１６】
ここで、サーバーコンピューター３は、講演者７が使用するコンピューター９と別体である必要はなく、講演者７が自らサーバーコンピューター３を講演で使用するコンピューター９として使用してもよい。
【００１７】
クライアントコンピューター５は、各受講者４に１台ずつ割り当てられた携帯端末装置であり、資料データ８を閲覧できる表示画面や操作ボタンなどが備えられている。
【００１８】
サーバーコンピューター３とクライアントコンピューター５には、講演を実施する際に実行されるプログラムがそれぞれの記録媒体に記録されており、プログラムにしたがってサーバーコンピューター３とクライアントコンピューター５、さらには、コンピューター９やマイク10やカメラ11やモニター12などと相互に通信し、必要に応じてクライアントコンピューター５やモニター12に資料データ８を表示するようにしている。
【００１９】
ここで、資料データ８は、図２に示すように、便宜的にクライアントコンピューター５やモニター12に一度に表示できる範囲の複数のページデータ13-1〜13-7の集合体となっていて、ページを切換える操作で表示される範囲を変更する形態（たとえば、レジメファイル等で利用されている形態）のデータの場合について説明するが、これに限られず、スクロール等の操作で表示される範囲を変更する形態（たとえば、文章ファイル等で利用されている形態）のデータの場合であってもよく、さらには、複数の異なるファイル（たとえば、レジメファイルとアンケートファイルなど）の集合体となっていて、ファイルを切換える操作で表示される範囲を変更する形態のデータの場合であってもよい。
【００２０】
そして、上記講演システム１では、サーバーコンピューター３とクライアントコンピューター５とを用いて以下に説明するようにして講演を行う。
【００２１】
まず、サーバーコンピューター３は、クライアントコンピューター５に講演で使用する全ての資料データ８を送信する。資料データ８を受信したクライアントコンピューター５は、その資料データ８を記録媒体に保存する。
【００２２】
なお、ここでは、講演で使用する全ての資料データ８をサーバーコンピューター３からクライアントコンピューター５に同時に送信しているが、これに限られず、予め各クライアントコンピューター５に資料データ８を保存しておいてもよく、各クライアントコンピューター５からの要求に応じて必要な部分のみの資料データ８を送信するようにしてもよい。
【００２３】
次に、サーバーコンピューター３は、クライアントコンピューター５で閲覧できる資料データ８の範囲を特定の範囲に指定する閲覧範囲データを送信する。これにより、クライアントコンピューター５では、受講者４の操作に応じて閲覧範囲データで指定された特定の範囲の資料データ８だけを表示し、他の範囲の資料データ８の表示を行わず、受講者４が特定の範囲の資料データ８だけを閲覧できるようにする。また、サーバーコンピューター３は、閲覧範囲データで指定した特定の範囲の資料データ８をモニター12に表示する。たとえば、サーバーコンピューター３は、資料データ８の１ページ目を指定する閲覧範囲データをクライアントコンピューター５に送信し、資料データ８の１ページ目のページデータ13-1だけをクライアントコンピューター５を用いて受講者４が閲覧できるようにし、併せてモニター12に資料データ８の１ページ目のページデータ13-1を表示する。
【００２４】
同様に、講演の内容に応じてサーバーコンピューター３は、順次、クライアントコンピューター５で閲覧できる資料データ８の範囲を特定の範囲に指定する閲覧範囲データを送信して、資料データ８の特定の範囲だけをクライアントコンピューター５を用いて受講者４が閲覧できるようにし、併せてモニター12に資料データ８の特定の範囲を表示する（特定範囲閲覧モード）。
【００２５】
その後、講演の内容に応じてサーバーコンピューター３は、クライアントコンピューター５で閲覧できる資料データ８の範囲を任意の範囲に指定する閲覧範囲データを送信する。これにより、クライアントコンピューター５では、受講者４の操作に応じて資料データ８の任意の範囲を表示し、受講者４が任意の範囲の資料データ８を自由に閲覧できるようにする（任意範囲閲覧モード）。なお、モニター12では、サーバーコンピューター３によって閲覧範囲データで指定された特定の範囲の資料データ８を継続して表示している。
【００２６】
なお、ここでは、クライアントコンピューター５で閲覧できる資料データ８の範囲を任意の範囲としているが、これに限られず、閲覧範囲データで指定した範囲（たとえば、資料データ８の１ページ目のページデータ13-1から３ページ目のページデータ13-3の範囲）に制限するようにしてもよい。
【００２７】
その後、サーバーコンピューター３は、上記の特定範囲閲覧モードによる動作や任意範囲閲覧モードによる動作を適宜行う。
【００２８】
以上に説明したように、上記講演システム１では、サーバーコンピューター３がクライアントコンピューター５で閲覧できる資料データ８の範囲を制御することにしている。
【００２９】
そのため、上記講演システム１及び上記講演システム１を用いた講演方法では、講演の内容にあわせて受講者４に資料データ８の特定の範囲だけを集中的に閲覧させたり、資料データ８の任意の範囲を自由に閲覧させるといったメリハリのある講演を行うことができ、受講者４の学習効果を増大させることができる。
【符号の説明】
【００３０】
１  講演システム                    ２  提供者
３  サーバーコンピューター          ４  受講者
５  クライアントコンピューター      ６  電気通信回線網
７  講演者                          ８  資料データ
９  コンピューター                  10  マイク
11  カメラ                          12  モニター
13-1〜13-7  ページデータ
【図１】
2014229058.tif 000003
【図２】
2014229058.tif 000004
【図３】
2014229058.tif 000005